(57)【要約】【課題】電子レンジで生卵を破裂させることなく、容易に目玉焼き様に調理する器具を提供する。【解決手段】卵調理器１は、開口４を上部に有するマイクロ波透過性の容器本体２と、容器本体２の上部に嵌合離脱自在のマイクロ波透過性の蓋体３とを具備する。容器本体２は、生卵Ｅを、卵黄Ｅ１が開口４の真下に配置されるように保持する湾曲した底部を具備する。蓋体３は、容器本体２の開口４を閉じる天板部８と、その下面から下方へ延出する複数のピック部９とを具備する。ピック部９は、蓋体３が容器本体２へ嵌合した時、開口４から容器本体内２へ延出し、生卵Ｅの卵黄膜を破壊可能な長さで、卵黄Ｅ１を上から押圧したときに、卵黄Ｅ１が側方へ逃げないように、卵黄Ｅ１の周縁より内側に対応する位置に、環状に並んで配置される。【選択図】図３
0003221608.tif 000002
【実用新案登録請求の範囲】
【請求項１】
生卵を割り入れることができる円形の開口を上部に有するマイクロ波透過性の容器本体と、前記開口を開閉するために前記容器本体の上部に嵌合離脱自在のマイクロ波透過性の蓋体とを具備し、
前記容器本体は、割り入れられた前記生卵を、卵黄が前記開口の真下に配置されるように保持する湾曲した底部を具備し、
前記蓋体は、前記容器本体への嵌合時に前記開口を閉じる天板部と、当該天板部の下面から下方へ延出する複数のピック部とを具備し、
前記ピック部は、前記蓋体が前記容器本体へ嵌合した時、前記開口から前記容器本体内へ延出し、前記容器本体内の前記生卵の卵黄膜を破壊可能な長さに設定され、かつ前記ピック部で卵黄を上から押圧したときに卵黄が側方へ逃げることがないように、卵黄の周縁より内側に対応する位置に前記開口と同心の環状に並んで配置されることを特徴とする電子レンジ用卵調理器。
【請求項２】
前記複数のピック部は、前記卵黄の周縁より内側部位を囲むように円環状に並んで配置され、かつそれぞれ前記円環状の並びに沿う円弧状横断面を持つ細長板状に形成されることを特徴とする請求項１に記載の電子レンジ用卵調理器。
【請求項３】
前記ピック部の先端部は、縁角部がラウンド状に形成されることを特徴とする請求項１又は２に記載の電子レンジ用卵調理器。
【考案の詳細な説明】
【技術分野】
【０００１】
本考案は、割り入れられた生卵を電子レンジで目玉焼き様に加熱調理するための調理器具に関する。
【背景技術】
【０００２】
電子レンジで生卵を目玉焼き様に調理する際に、卵黄が破裂しないように、卵黄膜やこれを覆う卵白を楊枝や箸で突いて破る前処理を行うことが広く知られている。
また、電子レンジで目玉焼きを破裂させることなく短時間で調理できる卵の調理器具が特許文献１に記載されている。この調理器具は、殻を割った生卵を皿に載せ、この皿を上部に隙間を有し且つ内部に水の入った容器に載置し、電子レンジ内にてマイクロ波加熱するように使用されるものである。
【先行技術文献】
【特許文献】
【０００３】
【特許文献１】特開2000-078958号公報
【考案の開示】
【考案が解決しようとする課題】
【０００４】
本考案は、従来の電子レンジで生卵を目玉焼き様に調理する方法を、手間をかけずに、自動的、かつ確実に実行できる構造簡易な調理器具を提供することを課題としている。
【課題を解決するための手段】
【０００５】
上記課題を解決するための本考案の卵調理器１は、生卵Ｅを割り入れることができる開口４を上部に有するマイクロ波透過性の容器本体２と、開口４を開閉するために容器本体２の上部に嵌合離脱自在のマイクロ波透過性の蓋体３とを具備する。容器本体２は、割り入れられた生卵Ｅを、卵黄Ｅ１が開口４の真下に配置されるように保持する湾曲した底部を具備する。蓋体３は、容器本体２への嵌合時に開口４を閉じる天板部８と、当該天板部８の下面から下方へ延出する複数のピック部９とを具備する。ピック部９は、蓋体３が容器本体２へ嵌合した時、開口４から容器本体内２へ延出し、容器本体２内の生卵Ｅの卵黄膜を破壊可能な長さに設定される。またピック部９は、卵黄Ｅ１を上から押圧したときに、卵黄Ｅ１が側方へ逃げることがないように、卵黄Ｅ１の周縁より内側に対応する位置に、環状に並んで配置される。
【考案の効果】
【０００６】
本考案の電子レンジ用卵調理器１は、容器本体内２に卵Ｅを割り入れると、その卵黄Ｅ１が開口４の真下に保持されるように自動的に配置され、容器本体２に蓋体３を嵌合させることにより、そのピック部９で卵黄膜を自動的に突き破り、手間なく，確実に電子レンジ調理の前処理を完了できる。ピック部９が、卵黄Ｅ１の周縁よりやや内側に対応する位置に環状に並んで配置されるので、卵黄Ｅ１を上から押圧したときに卵黄Ｅ１が側方へ逃げることがない。安全のためにピック部９の先端部が鋭利に形成されていない場合でも、ピック部９が確実に卵黄に突き刺さる。
【図面の簡単な説明】
【０００７】
【図１】本考案に係る電子レンジ用卵調理器の正面図である。
【図２】図１の電子レンジ用卵調理器の側面図である。
【図３】図１の電子レンジ用卵調理器の縦断面図である。
【図４】図２におけるIV−IV断面図である。
【図５】蓋体の底面図である。
【図６】図１の電子レンジ用卵調理器による調理過程を示す説明図である。
【考案を実施するための形態】
【０００８】
本発明の実施の一形態を添付図面に基づいて説明する。
図１，図２において、電子レンジ用調理器１は、透明耐熱ガラス製の容器本体２と、その上部に嵌合離脱自在で合成樹脂製の蓋体３とを具備する。
【０００９】
容器本体２は、起立した卵殻の底部と頂部を水平に截断した概略形状で、上端に鶏卵を割り入れることができる大きさの円形の開口４を有し、下端に平らな底壁５を有する。周壁６の外径は、上端から下部の最大径部７まで拡大し、そこから底壁５に向かって縮小する。
容器本体２に割り入れた生卵は、底壁５とこれを囲む周壁６の下部により、卵黄がほぼ中央に配置される状態となる。
【００１０】
蓋体３は、容器本体２への嵌合時に、容器本体２と共に、全体として、概略卵殻形状を構成する形状である。蓋体３は、容器本体２への嵌合時に開口４を閉じるドーム型の天板部８と、当該天板部８の下面から下方へ延出する４本のピック部９と、対向一対の嵌合片１０とを具備する。天板部８には通気孔８ａが形成される。
【００１１】
ピック部９は、蓋体３が容器本体２へ嵌合した時、開口４から容器本体２内へ延出し、容器本体２内の卵Ｅの卵黄Ｅ１を破壊可能な長さに設定される。図示の実施形態において、ピック部９は、細長板状で、先端の縁角部がラウンド状に形成される。このため、ピック部９は、先鋭部がなく、安全に使用できる。先鋭部がないため、ピック部９が単一であると、卵黄Ｅ１を上から押圧したときに卵黄Ｅ１が側方へ逃げる可能性がある。これを回避するため、ピック部９は、卵黄Ｅを保持するように、卵黄Ｅ１の周縁より内側に対応する位置に円環状に並んで複数配置され、また、相互の円環状の並びに沿う円弧状横断面を持つ形状である。
【００１２】
一対の嵌合片１０は、天板部８の下縁から容器本体２の最大径部７の下部位置まで、容器本体２の外周に沿うように湾曲して下方へ延出する。蓋体３が容器本体の上部に押し込まれたとき、嵌合片１０は弾性的に撓んで、最大径部７まで相互間隔を開き、それを過ぎると弾性的に接近して容器本体を挟持する。
【００１３】
この卵調理器１を用いて、電子レンジで生卵を目玉焼き様に調理する場合には、図５（Ａ）〜（Ｃ）に示すように、生卵を容器本体２内に割り入れる。割り入れられた生卵は底壁５と周壁６の下部の湾曲面により囲まれて、拡がった卵白の中央部に卵黄が配置される状態となる。次いで、本体容器２に蓋体３を嵌合させると、自動的にピック部９が容器本体２内の卵黄Ｅ２に突き刺さり、卵黄膜を破るが、４つのピック部９が卵黄Ｅ２を保持するので、卵黄が崩れて大きく外側へ広がることがない。この状態で、卵調理器１を電子レンジで加熱しても、卵黄Ｅ２の圧力が高まることがなく、破裂のおそれがない。したがって、容器に入れて蓋をするだけで、別途特別の手数を要することなく、生卵の電子レンジ調理を行うことができる。
【符号の説明】
【００１４】
１    卵調理器
２    容器本体
３    蓋体
４    開口
５    底壁
６    周壁
７    最大径部
８    天板部
９    ピック部
１０  嵌合片
Ｅ    卵
Ｅ１  卵黄
【図１】
0003221608.tif 000003
【図２】
0003221608.tif 000004
【図３】
0003221608.tif 000005
【図４】
0003221608.tif 000006
【図５】
0003221608.tif 000007
【図６】
0003221608.tif 000008